(57)【要約】  回転電機（１）は、回転可能に支持され、且つ、円周方向に配置された複数のマグネット（６２）を有するロータ（６０）と、このロータ（６０）との間に所定距離の隙間を介して配置され、かつアルミニウム導線で形成された巻線部（５０）を形成させたコア（２０）を有するステータ（１０）とを備え、前記巻線部（５０）の端部（ＴＢ，ＴＧ）と外部への電力伝達用電線（５）との電気的接続部（９０Ａ，９０Ｂ）をオイル中もしくはオイルを含んだ雰囲気中に配置した。
2016194840.tif 000002
【特許請求の範囲】
【請求項１】
回転可能に支持され、且つ、円周方向に配置された複数のマグネット（６２）を有するロータ（６０）と、
このロータ（６０）との間に所定距離の隙間を介して配置され、かつアルミニウム導線で形成された巻線部（５０）を形成させたコア（２０）を有するステータ（１０）とを備えた回転電機（１）において、
前記巻線部（５０）の端部（ＴＢ，ＴＧ）と外部への電力伝達用電線（５）との電気的接続部（９０Ａ，９０Ｂ）をオイル中もしくはオイルを含んだ雰囲気中に配置したことを特徴とする回転電機（１）。
【請求項２】
前記オイルはエンジン潤滑用オイルであることを特徴とする請求項１に記載の回転電機（１）。
【請求項３】
前記巻線部（５０）の端部（ＴＢ，ＴＧ）と前記外部への電力伝達用電線（５）とは中間接続部材（１０２，１０４）によって電気的に接続されて前記電気的接続部（９０Ａ，９０Ｂ）を形成し、
前記中間接続部材（１０２，１０４）は、電気的な導電性を有する鉄系または銅系の部材で形成されていることを特徴とする請求項１又は２に記載の回転電機（１）。
【請求項４】
前記電気的接続部（９０Ａ，９０Ｂ）の接続面方向（ＳＤ）をロータ（６０）の回転方向接線（ＴＬ）に対し直交する方向に向けたことを特徴とする請求項３に記載の回転電機（１）。
【請求項５】
前記電気的接続部（９０Ａ，９０Ｂ）の径方向（ＲＡ）外側に、壁状構造（１１２Ａ）を設けたことを特徴とする請求項３又は４に記載の回転電機（１）。
【請求項６】
前記電気的接続部（９０Ａ，９０Ｂ）の近傍に、その終端方向が前記電気的接続部（９０Ａ，９０Ｂ）となる前記巻線部（５０）の端部（ＴＢ，ＴＧ）のガイド溝（１１２Ｃ）を設けたことを特徴とする請求項３〜５の何れか一項に記載の回転電機（１）。
【請求項７】
前記電気的接続部（９０Ａ，９０Ｂ）の周囲にこの接続部を囲むプール状構造（１１２Ｂ）を形成したことを特徴とする請求項３〜６の何れか一項に記載の回転電機（１）。
【請求項８】
前記ロータ（６０）は円環状の筒部（６１）と、この筒部（６１）の軸方向（ＡＸ）の一方の開口を閉じる壁部（６４）とを備え、前記電気的接続部（９０Ａ，９０Ｂ）を、軸方向（ＡＸ）前記壁部（６４）側に向けて配置したことを特徴とする請求項３〜７の何れか一項に記載の回転電機（１）。
【発明の詳細な説明】
【技術分野】
【０００１】
本発明は、回転電機に係り、特に、二輪車等の車両に搭載された内燃機関用の回転電機に関する。
【背景技術】
【０００２】
一般に、二輪車等の車両は、その車両に搭載した内燃機関（エンジン）の回転を利用して発電する発電機を備えている。この発電機の発電電力でバッテリを充電し、この充電電力により車両の電気系統の電力が賄われるようになっている。【０００３】
この発電機としては、回転電機としてのいわゆる磁石式発電機が多用されている。この磁石式発電機は、エンジンのエンジンカバー内部に配置される磁石付のロータ（回転子）と、そのロータの径方向内側に配置されるステータ（固定子）とを備える。ステータは複数のティースを有するコアを備え、その複数のティースに単相又は三相のコイル（発電コイル）が巻装されている。ロータはエンジンのクランク軸の一端に結合されており、エンジンの回転と共にロータ、すなわち磁石が回転し、この回転による回転磁界によってコイルに単相又は三相の交流電流が誘起される。この誘起電流は、コイルの引出端部から端子を介して外部への電力伝達用電線である出力用リード線に流れて、車両の電気回路に供給される。【０００４】
コイルの引出端部と外部への電力伝達用電線の一部を構成する端子との接続構造として、例えば特許文献１に記載のものが知られている。この文献には、アルミニウム導線を用いた固定子（ステータ）巻線端部（コイルの引出端部）を、端子台に装備された例えば黄銅にニッケルメッキを施した金属端子にハンダ付けしたものが記載されている。【０００５】
ところで、このようなアルミニウムと黄銅との接続部はいわゆる異種金属同士の接触になり、塩水等の電解液環境下では、イオン化傾向により極めて腐食し易い。このため、上述した接続部のハンダ付け部分には、腐食防止と保護のために、保護剤が塗布されている。【０００６】
上記文献においては、内側の保護層として、例えばポリオレフィン系樹脂などの粘度の低い合成樹脂が上記接続部に塗布されている。また、外側の保護層としては、例えばエポキシ樹脂等の粘度の高い合成樹脂が上記内側保護層の上から塗布されている。
【先行技術文献】
【特許文献】
【０００７】
【特許文献１】特開２０１３−１８８０４８号公報
【発明の概要】
【発明が解決しようとする課題】
【０００８】
しかしながら、上述した合成樹脂を用いたコイルの引出端と金属端子との接続部の保護構造の場合、特殊な保護剤を複数種類用意する必要がある。また、これら複数種類の保護剤を接続部に塗布するために複数の塗布用設備も必要となってくる。そして、保護剤の塗布工程および乾燥工程の時間が長くなり、管理も煩雑になってしまう。【０００９】
これらから、コイルの引出端と金属端子との接続部の腐食防止と保護のために複数種類の保護剤を接続部に塗布することはコストの上昇を招く虞がある。【００１０】
本発明は、上述の問題に鑑みてなされたものであり、その目的は、コストの上昇を招くことなくコイルの引出端部と外部への電力伝達用電線の一部を構成する金属端子との接続部の腐食が防止できる回転電機を提供することにある。
【課題を解決するための手段】
【００１１】
上記目的を達成するため、本発明に係る回転電機は、回転可能に支持され、且つ、円周方向に配置された複数のマグネットを有するロータと、このロータとの間に所定距離の隙間を介して配置され、かつアルミニウム導線で形成された巻線部を形成させたコアを有するステータとを備え、前記巻線部の端部と外部への電力伝達用電線との電気的接続部をオイル中もしくはオイルを含んだ雰囲気中に配置したことを特徴とする。
【発明の効果】
【００１２】
これにより、従来のような合成樹脂を用いた接続部の保護構造に比べ、コストの上昇を招くことなく巻線部の端部と外部への電力伝達用電線との電気的接続部の腐食が防止できる。
【図面の簡単な説明】
【００１３】
【図１】本発明の回転電機としての磁石式発電機の実施形態に係る、図２に示す矢印Ｉの軸方向からみた側面図。
【図２】図１の矢印ＩＩ−ＩＩ線に沿った概略断面図。
【図３】本実施形態に係る磁石式発電機のステータを構成する積層板を示す側面図。
【図４】分割構造のボビンの一方を成すボビン分割体を示す斜視図。
【図５】本実施形態に係る巻線部のリード部分を案内するガイド溝を説明する部分斜視図。
【図６】本実施形態に係る巻線部のリード部分と端子との接続部を説明する部分斜視図。
【図７】本実施形態に係る巻線部のリード部分と端子との接続部を説明する他の部分斜視図。
【図８】他の実施形態に係る磁石式発電機の概略断面図。
【図９】（ａ）はさらに他の実施形態に係る巻線部のリード部分と端子との接続部を説明する側面図であり、（ｂ）は（ａ）を矢印方向から見た図である。
【図１０】（ａ）はさらに他の実施形態に係る巻線部のリード部分と端子との接続部の蓋形状を説明する側面図であり、（ｂ）は図１０（ａ）の要部断面図。
【図１１】（ａ）はさらに他の実施形態に係る巻線部のリード部分と端子との接続部の蓋形状を説明する側面図であり、（ｂ）は図１１（ａ）の要部断面図。
【発明を実施するための形態】
【００１４】
以下、添付図面を参照して、本発明に係る磁石式発電機及びその結線機構（構造）の好適な実施形態を説明する。
【００１５】
図１〜図３に、この第一実施形態に係る、回転電機としての単相の磁石式発電機の構造の概要を示す。
【００１６】
磁石式発電機１（以下、単に「発電機」と呼ぶ）は、例えば図示しない二輪車の内燃機関（エンジン）近傍に取り付けられ、エンジンの回転力により回転されることで発電する。この発電機１は、ステータ（固定子）１０およびロータ（回転子）６０を備えている。ステータ１０とロータ６０とはそれらの中心軸Ｏを同軸として配置され、ステータ１０はエンジンカバー２に固定される。
【００１７】
ステータ１０は、図示しないエンジン躯体側に取り付けられる場合もある。一方、ロータ６０は、クランク軸３に固定される。
【００１８】
エンジンカバー２は、発電機１を覆うように配置される。エンジンカバー２は、例えば発電機ケースとも呼ばれ、エンジン躯体と組み合わされてそれらの内部に発電機１の搭載空間を形成する。すなわち、本実施形態では、発電機１は二輪車用の発電機である。発電機１が発電した電力は、図示しない車両側電気回路に供給される。
【００１９】
ステータ１０は、コア２０、ボビン３０および巻線部５０を備えている。コア２０は、例えば鉄あるいは電磁鋼板等の薄い金属板を積層することにより形成されている。コア２０は略円環状のコア本体２１を有する（図２、３参照）。
【００２０】
尚、以下の説明において、説明の便宜上、このコア本体２１の仮想的な中心軸Ｏ（図３参照）の長さ方向を軸方向ＡＸと呼ぶ。さらに、その中心軸Ｏを中心に当該中心軸Ｏに直交する断面に沿って放射状に広がる方向を径方向ＲＡと呼び、コア本体２１の周囲を巡る方向を円周方向ＣＲと呼ぶ。このコア２０を発電機１に実装した状態で、軸方向ＡＸ、径方向ＲＡ、及び円周方向ＣＲは発電機１の軸方向、径方向、及び円周方向とそれぞれ一致する。以下、コア２０は発電機１に実装されているものとして説明する。
【００２１】
コア２０は、上述した環状のコア本体２１のほか、そのコア本体２１から径方向ＲＡの外側へ延びる複数のティース２２備えている（図３参照）。本実施形態では、ティース２２は、コア本体２１の周方向に等間隔で１２個設けられている。
【００２２】
ボビン３０は、例えば樹脂により環状に形成され、かつその軸方向において前後に半分割した分割構造になっている。このうち、図４には、その分割構造のうちの一方のボビン分割体３０Ａを示している。ボビン３０は、２つのボビン分割体３０Ａ，３０Ｂ（図２参照）を互いに組わせた状態では、環状のボビン本体３１、このボビン本体３１の径方向ＲＡの外側に複数設けられる絶縁部３２、ボビン本体３１から径方向に一部張り出した略円弧状の張出部１００、及び、その張出部１００に軸方向ＡＸに突設させた、後述する成形体１０１を一体に備えている。本実施形態では、絶縁部３２は、ボビン本体３１の円周方向ＣＲに等間隔で１２個設けられている。
【００２３】
張出部１００は、図４に示すように、一方のボビン分割体３０Ａに一体に形成されている。その張出部１００の一部からは、二本の成形体１０１が軸方向ＡＸに突出して形成されている。この一方のボビン分割体３０Ａに、図２に示すコア２０を成す金属板を積層し、その積層体をもう一方のボビン分割体３０Ｂで挟むように組みつけられる。このとき、各金属板には、二本の成形体１０１を貫通させる孔ＡＮ、ＡＭが形成されている。これにより、成形体１０１はコア２０をその軸方向に沿って貫通した状態になる。なお、２つのボビン分割体３０Ａ，３０Ｂは、一方のボビン分割体３０Ａに上記成形体１０１を突設した構造を除いて、左右対象にされている。
【００２４】
以下、２つのボビン分割体３０Ａ，３０Ｂを組み付けて１つのボビンを構成した状態で説明する。
【００２５】
ボビン３０のボビン本体３１がコア本体２１に対面し、且つ複数の絶縁部３２それぞれが複数のティース２２それぞれに対面して、コア２０を挟み込むようにコア２０の軸方向ＡＸの一方の面２３の側（エンジンカバー２側）および他方の面２４の側（クランク軸３側）に設けられている。
【００２６】
図４に示すように、ボビン本体３１の絶縁部３２近傍には、ボビン本体３１の軸に平行な面方向に延びる板状のストッパ３３が形成されている。また、絶縁部３２のボビン本体３１とは反対側の端部には、ボビン本体３１の軸に平行な面方向に延びる板状のストッパ４４が形成されている。
【００２７】
巻線部（発電コイル）５０は、例えばアルミニウム導線で形成され、２つのボビン３０の絶縁部３２に巻回されている。本実施形態では、１本の絶縁被覆されたアルミニウム導線を複数の絶縁部３２それぞれに所定回数ずつ巻きまわして、複数の巻線部５０を各ティース２２に形成している。なお、絶縁部３２により、巻線部５０とコア２０のティース２２との絶縁性が確保されている。
【００２８】
また、本実施形態では、巻線部５０を、所定の力で引っ張りながら絶縁部３２に巻き回す。これにより、巻線部５０を絶縁部３２に密に巻き回すことができる。ここで、ボビン３０のストッパ４４およびストッパ３３により、巻線部５０の、径方向ＲＡの位置決めがなされている。
【００２９】
図２に示すように、コア２０のコア本体２１が例えばボルト等によりエンジンカバー２の内側に固定されている。図示しないエンジンのクランク軸３の端部にはボス４が取り付けられている。そのため、ボス４は、エンジン運転時、クランク軸３と供に回転する。
【００３０】
また、ロータ６０は、ステータ１０の径方向ＲＡの外側に所定の隙間を介して設けられている。このロータ６０は、円周方向ＣＲに円環状を成す筒部６１と、この筒部６１の軸方向ＡＸの一方の開口を閉じる壁部６４とを備える。筒部６１及び壁部６４は相互に一体に形成されて、壁部６４にボス４が固定される。筒部６１の内壁には、その円周方向ＣＲに沿って複数のマグネット（永久磁石）６２が等角度間隔で設けられている。本実施形態では、その複数のマグネット６２は、それらの磁極（Ｎ極、Ｓ極）の向きが径方向ＲＡにおいて交互に反対になるように、合計１２個が設けられている。図１に示すように、筒部６１の外周面の一部には、突部６３が形成されている。
【００３１】
ロータ６０の筒部６１がコア２０の径方向ＲＡの外側に位置するように、その壁部６４がボス４に固定される。これにより、コア２０のティース２２の先端部は、マグネット６２に対向して位置する。ロータ６０は、エンジン運転時、クランク軸３およびボス４とともに回転する。ロータ６０が回転すると、マグネット６２に対向するティース２２を覆う絶縁部３２に巻回された巻線部５０に誘導起電力が生じる。その結果、巻線部５０に電流が生じる。巻線部５０に生じた電流は、巻線部５０と車両側電気回路とを接続する出力ケーブル５（図２参照）を経由して、二輪車のバッテリやヘッドランプ等の電気負荷に供給される。このように、本実施形態の発電機１はアウタロータ型の発電機である。
【００３２】
ロータ６０の径方向ＲＡの外側には、所定隙間を介して回転センサ７０が設けられている。回転センサ７０は、ロータ６０が回転するとき、突部６３の回転位置に応じた信号を出力する。当該信号は、ワイヤーハーネス７１を経由して、図示しない電子制御ユニット（以下、「ＥＣＵ」という）に伝達される。これにより、ＥＣＵは、ロータ６０の回転位置、すなわち、クランク軸３の回転位置を検出することができる。
【００３３】
次に、この発電機１において、巻線部５０の端部と出力ケーブル５およびアース線（図示せず）との電気的な接続部９０Ａ，９０Ｂを説明する。
【００３４】
本実施形態に係る発電機１は単相の交流発電機であるので、その１２本のティースに巻き回された１２個の巻線部５０は、電気的には互いに直接に接続されて車両側電気回路に接続されている。このため、この巻線部５０の直列回路の両端部、すなわち、１２個の巻線部５０の巻き始めと巻き終わりの引き出し部分の端部、すなわちバッテリ側及びアース側リード部分ＴＢ，ＴＧは外部への電力伝達用電線である出力ケーブル５及びアース線に接続されている。出力ケーブル５は車両側電気回路に接続され、アース線は車両側のアース回路に接続される。
【００３５】
これらの接続部９０Ａ，９０Ｂは、図１，２に示すように、複数の巻線部５０のバッテリ側及びアース側のリード部分ＴＢ，ＴＧを各別に接続するための構造を有する。これらの接続部９０Ａ，９０Ｂは、コア２０の両側面、すなわちエンジンカバー２側の面２３及びクランク軸３側の面２４の所定位置をその軸方向ＡＸに貫通させて配置されている。この貫通位置は、本実施形態の場合、複数の巻線部５０のリード部分ＴＢ，ＴＧに最も近い部位に設定されている。
【００３６】
これらの接続部９０Ａ，９０Ｂは、コア２０を軸方向ＡＸに沿って貫通した状態で当該コア２０に固定され、且つ、貫通孔ＨＬを有する樹脂製の成形体１０１（ボビン分割体３０Ａに一体に形成されている、図４参照）と、この成形体１０１の貫通孔ＨＬに圧入され、且つ、両端部１２２，１２３，１４２をコア２０の外部に残して当該貫通孔ＨＬに固定状態で配置される、中間接続部材である端子１０２，１０４と、を備える。
【００３７】
バッテリ側端子１０２の両端部１２２，１２３のうちの、エンジンカバー２の側に位置する一方の端部１２２には複数の巻線部５０の出力側のリード部分ＴＢが溶接によって電気接続され、クランク軸３の側に位置する他方の端部１２３にはバッテリに接続された銅製の出力ケーブル５がハンダ付けにより電気接続される。
【００３８】
また、アース側端子１０４の両端部１４２のうちの、エンジンカバー２の側に位置する一方の端部１４２には複数の巻線部５０のアース側のリード部分ＴＧが溶接によって電気接続され、クランク軸３の側に位置する図示しない他方の端部には車両側のアース回路に接続される図示しないアース線がハンダ付けにより電気接続される。
【００３９】
なお、出力側のリード部分ＴＢ及びアース側のリード部分ＴＧはコア２０の軸方向ＡＸと直交する方向、すなわちボビン分割体３０Ａの張出部１００と平行に伸びて端子１０２，１０４に接続される。また、接続部９０Ａ，９０Ｂは、図１に示すように、その接続面方向ＳＤがロータ６０の回転方向接線ＴＬに対し直交する方向を向く。
【００４０】
成形体１０１は、図４に示すように、ボビン分割体３０Ａの張出部１００に一体成形されており、コア２０の所定位置にて貫通して固定される。この成形体１０１には、図５にも示すように、その長さ方向に沿って貫通孔ＨＬが形成されている。また、張出部１００の、成形体１０１と反対の面の、端子１０２，１０４の径方向ＲＡ外側には、図５〜図７に示すように、壁状構造の突起１１２Ａが形成されている。この突起１１２Ａはコイル崩れ防止用の衝立として機能する。
【００４１】
また、端子１０２，１０４の端部１２２，１４２の周囲には略円形の立ち上がり壁１１２Ｂが形成され、この立ち上がり壁１１２Ｂによって囲まれた内部空間をプール状構造としている。
【００４２】
そして、突起１１２Ａに隣接する張出部１００には軸方向ＡＸに突出する突出部１１２Ｄが設けられ、この突出部１１２Ｄにその終端方向がリード部分と端子との接続部分となるガイド溝１１２Ｃを設けて、リード部分と端子との接続部分の径方向及び軸方向の位置決めを行っている。また、この突出部１１２Ｄにより、図示しない溶接電極がコア２０やボビン３０に接触するのを防げる。
【００４３】
さらに、壁状構造の第二の突起１１２Ｅがガイド溝１１２Ｃに隣接して設けられる。この第二の突起１１２Ｅは巻線部５０のリード部分を引き込んで曲げる際のガイドとして利用できる。
【００４４】
複数の巻線部５０は、その両端の巻始め及び巻終わりにバッテリ側及びアース側リード部分ＴＢ、ＴＧを備えている。これらのリード部分ＴＢ、ＴＧは絶縁被膜で覆われているが、巻線本体と同様にアルミニウム製である。これらのリード部分ＴＢ，ＴＧが巻線部５０の群から引き出され、図６に示すように、コア２０の張出部１００に形成されたガイド溝１１２Ｃに収容されガイドされる。貫通孔ＨＬには例えばバッテリ側端子１０２の溶接用の端部１２２が位置している。このため、この端部１２２に、ガイドされてきたバッテリ側リード部分ＴＢの先端を曲げて沿わせ、その両者を溶接で接続する。この溶接は、例えば抵抗溶接であり、端部１２２に集中する電流によるジュール熱と、リード部分ＴＢと端部１２２への加圧とにより、両者が相互に溶接される（図６参照）。なお、詳細には図示していないが、アース側端子１０４とアース側リード部分ＴＧの接続も同様に行われる。
【００４５】
なお、端子１０２，１０４の材質としては、出力ケーブル５等とのハンダ付けを考慮して、鉄系、銅系などの、アルミニウム以外の金属が使用されることが一般的である。
【００４６】
ところで、本発明が適用される二輪車のエンジンは潤滑装置を備える。潤滑装置は、例えばエンジンの最下部に配置されるオイルパン内に溜められているエンジン潤滑用オイルを、オイルポンプを用いてエンジン各部の摺接部にオイル流路を介して圧送するものであり、摺接部を潤滑したエンジン潤滑用オイルはエンジン内を自然落下してオイルパンに戻るようになっている。
【００４７】
また、オイルパン内に溜められているエンジン潤滑用オイルの一部はエンジンカバー２の内部にも流入しており、底部に溜まっている。エンジンカバー２は潤滑用オイルの流路を形成するともいえ、潤滑用オイルをエンジン外部に流出させないように構成される。エンジン停止時におけるエンジンカバー２内のエンジン潤滑用オイルの液面ＯＬは、図１及び図２に示すように、ロータ６０を構成する筒部６１の下部が浸る程度の高さに設定される。
【００４８】
このように、本実施形態の回転電機によれば、下記のように様々な作用効果が得られる。
【００４９】
端子１０２，１０４の材質として、鉄系、銅系などの、アルミニウム以外の金属を使用した場合、アルミニウムとの溶接部は異種金属同士の接触になり、腐食環境下では極めて腐食し易い。エンジンカバー２とエンジン躯体とを組み合わせることにより、その内部に形成された発電機１の搭載空間は、腐食要因を含む排気ガスが流入する腐食環境である。
【００５０】
排気ガスは、燃料由来の硫黄成分やアルコールを含んでいる可能性がある。また、排気ガスには燃料の燃焼により生じた水分が含まれている可能性もある。そして、この水分はエンジンカバー２に付着して冷やされ、結露することがある。この結露した水に硫黄成分等が溶けることにより、腐食性の高い物質が生成される。例えば硫酸等が挙げられる。よって、これらの観点から、上記接続部９０Ａ，９０Ｂは腐食環境に晒されているといえる。
【００５１】
本実施形態の回転電機においては、エンジンが回転するとそれに伴ってロータ６０も回転する。ロータ６０が回転することにより、エンジンカバー２内底部に溜まっているエンジン潤滑用オイルがロータ６０の筒部６１によって掻き揚げられ、エンジンカバー２内を、エンジン潤滑用オイルの飛沫を含んだ雰囲気、いわゆるオイルミストで満たす。
【００５２】
エンジンカバー２内のオイルミストは例えばバッテリ側端子１０２の端部１２２と出力側リード部分ＴＢの先端との接続部９０Ａに付着し、この接続部９０Ａをエンジン潤滑用オイルでコーティングすることによりエンジン潤滑用オイルが保護剤となって接続部９０Ａの腐食を防止する。すなわち、接続部９０Ａは、この接続部９０Ａを囲む雰囲気に含まれているエンジン潤滑用オイルの飛沫によって、直接的に濡らされている。そして、この接続部９０Ａにエンジン潤滑用オイルが密着して覆うことにより、接続部９０Ａは、腐食要因から隔絶されていることとなる。なお、アース側リード部分ＴＧの接続部９０Ｂに関しても同様である（以下同じ）。
【００５３】
また、オイルミストは接続部９０Ａ近傍に配置された壁状構造の突起１１２Ａや第二の突起１１２Ｅにも付着し、付着したオイルミストは突出部１１２Ｄに形成されたガイド溝１１２Ｃを伝って接続部９０Ａに導かれ、その腐食を防止する。突起１１２Ａやガイド溝１１２Ｃは、接続部９０Ａに対し、径方向外側に配置されるとより好適であり、オイルミストを効果的に捕捉することができる。また、突起１１２Ａやガイド溝１１２Ｃは、発電機１が二輪車のエンジンに搭載される際、重力方向上側、すなわち天側に配置されるとより好適であり、効果的にエンジンオイルを接続部９０Ａに導くことができる。
【００５４】
さらに、ガイド溝１１２Ｃにリード部分ＴＢが配置されており、リード部分ＴＢはエンジン潤滑用オイルで濡れやすいため、エンジン潤滑用オイルは、リード部分ＴＢを伝わって、ガイド溝１１２Ｃとリード部分ＴＢとの間に形成される隙間を伝わることにより、接続部９０Ａに向かって伝えることが容易になる。すなわち、エンジン潤滑用オイルが、接続部９０Ａを覆うように密着することにより、接続部９０Ａは間接的に濡らされているともいえる。
【００５５】
さらに、端子１０２の端部１２２の周囲に略円形の立ち上がり壁１１２Ｂを形成し、この立ち上がり壁１１２Ｂによって囲まれた内部空間をプール状構造としたことにより、この立ち上がり壁１１２Ｂの内部空間にもオイルミストは導かれる。立ち上がり壁１１２Ｂの内部空間に導かれたオイルミストは例えエンジンが回転を停止しても内部空間に留まっており、接続部９０Ａとの表面張力によって接続部９０Ａに導かれてその腐食を防止する。
【００５６】
上述したように、例えば端子１０２の端部１２２とリード部分ＴＢの先端との接続部９０Ａはエンジン潤滑用オイルによって腐食が防止される。また、エンジン潤滑用オイルは、エンジンを始動することにより効果的に接続部９０Ａに付着させることができる。そして、エンジン停止時においては、立ち上がり壁１１２Ｂによるプール状構造によりエンジン潤滑用オイルを接続部９０Ａに供給することができる。このように、接続部９０Ａに複数の手段で複合的にエンジン潤滑用オイルを供給することができるため、エンジンの運転状態によらず、常に接続部９０Ａの腐食の発生を抑制することが可能である。
【００５７】
以上により、従来のような合成樹脂を用いた接続部の保護構造に比べ、コストの上昇を招くことなく端子の端部とリード部分の先端との接続部の腐食が防止できる。
【００５８】
なお、上述した実施形態ではロータ６０を回転させてエンジンカバー２内のエンジン潤滑用オイルを掻き揚げることによりエンジン潤滑用オイルを接続部９０Ａに付着させているが、例えば、詳細には図示しないが、エンジンカバー２またはクランク軸３にオイル流路と、接続部９０Ａ向かって開口する噴口を設け、接続部９０Ａ向かってエンジン潤滑用オイルを噴射させる構造を用いてもよい。
【００５９】
また、端子の端部とリード部分の先端との接続部の接続面方向ＳＤをロータ６０の回転方向接線ＴＬに対し直交する方向に向けることにより、接続部の溶接作業が容易になる。
【００６０】
また、ステータ（固定子）１０の複数の巻線部５０を形成する線材にアルミニウム導線を用いているため、発電機自体をより軽量にできるとともに、銅線を用いる場合に比べて部品コストも大幅に低減できる。
【００６１】
また、複数の巻線部５０から引き出したリード部ＴＢ，ＴＧは、アルミニウム製であるため、ハンダ付けの代わりに溶接によって端子１０２，１０４に接続することが好適である。
【００６２】
さらに、溶接及びハンダ付けの部位がコア２０を挟んで相互に隔絶されているため、ハンダ部にスパッタが付着したり、ハンダ付け作業により溶接部にダメージを与えたりすることも格段に少なくなる。これにより、接合部位の電気的な接合の信頼性が上がる。
【００６３】
さらに、ボビン分割体３０Ａの張出部１００の、成形体１０１と反対の面に、すなわち、例えば端子１０２の端部１２２と巻線部５０との間に壁状構造の突起１１２Ａや第二の突起１１２Ｅが形成されている。これらの突起１１２Ａおよび第二の突起１１２Ｅは、溶接時に飛散するスパッタがステータ１０の巻線部５０に付着するのを防止する。
【００６４】
なお、上述の実施形態では、エンジンカバー２側で巻線部５０のバッテリ側リード部分ＴＢを接続し、クランク軸３側でバッテリへの接続を行うようにしたが、本発明の他の実施形態である図８に示すように、これの位置関係は反対であってもよい。つまり、コア２０の前記他方の面２４の側に成形体１０１のヘッド部が位置し、前記一方の面２３の側に成形体１０１のテール部が位置してもよい。これに応じて、端子１０２の向きも反対になる。これにより、設計の自由度が上がる。
【００６５】
また、接続部９０Ａを、軸方向ＡＸロータ６０の壁部６４側に向けて配置することにより、エンジン潤滑用オイルが接続部９０Ａに掛かり易くなる。すなわち、ロータ６０の壁部６４の表面張力（エネルギー）によりエンジン潤滑用オイルがより掻き揚げられると供に、壁部６４に設けられたリベット１５１等の凸部や穴１５２によってもエンジン潤滑用オイルがより掻き揚げられる。
【００６６】
さらにまた、上記実施形態では、図１に示すように、接続部９０Ａ，９０Ｂをティースの中心線上に配置した例を示したが、詳細には図示しないが、隣接するティース間の中心線上に接続部９０Ａ，９０Ｂを配置してもよい。
【００６７】
また、上記実施形態では、端子の溶接用端部に、ガイドされてきたリード部分の先端を曲げて沿わせ、その両者を溶接した例を示したが、本発明のさらに他の実施形態では、図９（ａ）および（ｂ）に示すように、端子１０６の端部１６２にかしめ用の溝１６３を設け、この溝１６３にリード部分Ｔの先端を導いてかしめ固定し、その両者を例えばハンダ付けしてもよい。
【００６８】
端子１０６の径方向ＲＡ外側には、上記実施形態同様、壁状構造の突起１１２Ａが形成されており、この突起１１２Ａにはリード部分Ｔの位置決めを行うガイド溝１１２Ｃが設けられている。さらに、端子１０６の周囲には、上記実施形態同様、略円形の立ち上がり壁１１２Ｂが形成され、この立ち上がり壁１１２Ｂによって囲まれた内部空間をプール状構造としている。
【００６９】
また、上記実施形態では、端子１０２の端部１２２の周囲に略円形の立ち上がり壁１１２Ｂを形成し、この立ち上がり壁１１２Ｂによって囲まれた内部空間をプール状構造とした例を示したが、本発明のさらに他の実施形態では、図１０（ａ）および（ｂ）に示すように、立ち上がり壁１１２Ｂの、プール状構造の軸方向ＡＸ側開口に、その一部を覆うように蓋１１２Ｆを設けてもよい。なお、蓋１１２Ｆは、プール状構造の重力方向下側に配置されるとエンジン潤滑用オイルを効率的に溜めることができ、好適である。また、蓋１１２Ｆが設けられていないプール状構造上側の開口より、新たなエンジン潤滑用オイルをプール状構造の内部空間に供給することが可能となる。
【００７０】
ところで、プール状構造を構成する立ち上がり壁１１２Ｂと蓋１１２Ｆとを一体に形成する場合、組み付け時の端子１０２の端部１２２に干渉しないよう、及びこの端部１２２とリード部分ＴＢとの接続の邪魔にならないよう、蓋１１２Ｆはプール状構造の重力方向下側の低い位置に形成されることが望ましい。
【００７１】
一方、本発明のさらに他の実施形態である図１１（ａ）および（ｂ）に示すように、プール状構造を構成する立ち上がり壁１１２Ｂと蓋１１２Ｆとを別体に形成する場合、上述したように、組み付け時の端子１０２に干渉したりリード部分ＴＢとの接続の邪魔になったりすることはないため、プール状構造の軸方向ＡＸ側開口をより広い範囲で覆うことができ、プール状構造の内部空間にエンジン潤滑用オイルをより多く溜めることができる。そして、立ち上がり壁１１２Ｂと蓋１１２Ｆとの固定方法としては、例えば両者の双方にスナップフィットを設けたり、両者を接着したりすることが考えられるが、特にこれらの方法に限定されるのではなく、あらゆる公知技術が適用可能である。なお、この本発明の他の実施形態においては、図面に用いた符号のうち、上記実施形態に用いた符号と同一のものは、特に示さない限り、上記実施形態と同様の構成要素等を表す。
【００７２】
また、上記実施形態では、端子とリード部分との接続方法として溶接を用いて示したが、この溶接には合金層を有する接続や、冶金学的な拡散層による接続も含まれる。また、溶接方法はさまざまな方法によって提供可能であり、例えばプロジェクション溶接やアーク溶接等が用いられる。さらに、他の接続方法としては、例えばかしめやハンダ付け、ヒュージング（熱かしめ）等があるが、本願発明の趣旨である電気接続部の腐食保護という観点からすれば、これらの接続方法も当然含まれるものである。
【００７３】
さらに、上記実施形態では、プール状構造を構成する立ち上がり壁１１２Ｂの軸方向ＡＸ高さは、端部１２２とリード部分ＴＢとの接続時の作業性を考慮して、接続部９０Ａより低いものとした例を示したが、上述した他の実施形態の蓋１１２Ｆのように、立ち上がり壁１１２Ｂをボビン本体３１と別体に設けるような構成にすれば、接続部９０Ａより高いものとすることも可能である。なお、立ち上がり壁１１２Ｂの軸方向ＡＸ高さは、接続部９０Ａの形状やエンジン潤滑用オイルの粘性に応じて適宜調整可能である。
【００７４】
そして、上記実施形態では、エンジン潤滑用オイルで接続部を覆うことによりこの接続部の腐食の発生を抑制しているが、エンジン潤滑用オイルと他の手段、例えば合成樹脂を用いて接続部を覆うこととを組み合わせて接続部の腐食の発生を抑制してもよい。この場合、従来二種類必要であった合成樹脂を一種類にすることができ、コストを下げることができると共に、合成樹脂とエンジン潤滑用オイルとの科学的な分解のリスク検討も低減可能となる。さらに、合成樹脂に変えて、コイル固定用の接着剤やコア防錆用の防錆材を用い、これらとエンジン潤滑用オイルとを組み合わせて接続部の腐食の発生を抑制してもよい。
【００７５】
また、本発明のさらに他の実施形態では、詳細には図示しないが、ロータをステータの内側に設けることとしてもよい。この場合、回転電機を、インナロータ型の発電機またはモータとして利用することができる。
【００７６】
さらにまた、本発明の他の実施形態では、ロータを固定し、ステータをロータに対し相対回転させるよう回転電機を構成してもよい。このように、本発明は、上述の実施形態に限定されるものではなく、その要旨を逸脱しない範囲で種々の形態に適用可能である。
【符号の説明】
【００７７】
１  回転電機（磁石式発電機）
５  出力ケーブル（外部への電力伝達用電線）
１０  ステータ
２０  コア
５０  巻線部
６０  ロータ
９０Ａ，９０Ｂ  電気的接続部
１０２，１０４  端子（中間接続部材）
１１２Ａ  突起（壁状構造）
１１２Ｂ  立ち上がり壁（プール状構造）
１１２Ｃ  ガイド溝
ＴＢ，ＴＧ  リード部分（巻線部の端部）
ＳＤ  電気的接続部の接続面方向
ＴＬ  ロータの回転方向接線
【図１】
2016194840.tif 000003
【図２】
2016194840.tif 000004
【図３】
2016194840.tif 000005
【図４】
2016194840.tif 000006
【図５】
2016194840.tif 000007
【図６】
2016194840.tif 000008
【図７】
2016194840.tif 000009
【図８】
2016194840.tif 000010
【図９】
2016194840.tif 000011
【図１０】
2016194840.tif 000012
【図１１】
2016194840.tif 000013
【手続補正書】
【提出日】平成28年10月25日(2016.10.25)
【手続補正１】
【補正対象書類名】明細書
【補正対象項目名】００１１
【補正方法】変更
【補正の内容】
【００１１】
上記目的を達成するため、本発明に係る回転電機は、回転可能に支持され、且つ、円周方向に配置された複数のマグネットを有するロータと、このロータとの間に所定距離の隙間を介して配置され、かつアルミニウム導線で形成された巻線部と、コアに設けられ、前記巻線部が巻回されたボビンを有するステータとを備え、前記巻線部の端部と外部への電力伝達用電線との電気的接続部はオイル中もしくはオイルを含んだ雰囲気中に配置され、前記ボビンは前記電気的接続部の径方向外側に、壁状構造が形成されたことを特徴とする。
【手続補正２】
【補正対象書類名】特許請求の範囲
【補正対象項目名】全文
【補正方法】変更
【補正の内容】
【特許請求の範囲】
【請求項１】
回転可能に支持され、且つ、円周方向に配置された複数のマグネット（６２）を有するロータ（６０）と、
このロータ（６０）との間に所定距離の隙間を介して配置され、かつアルミニウム導線で形成された巻線部（５０）と、コア（２０）に設けられ、前記巻線部（５０）が巻回されたボビン（３０）を有するステータ（１０）とを備えた回転電機（１）において、
前記巻線部（５０）の端部（ＴＢ，ＴＧ）と外部への電力伝達用電線（５）との電気的接続部（９０Ａ，９０Ｂ）はオイル中もしくはオイルを含んだ雰囲気中に配置され、前記ボビン（３０）は前記電気的接続部（９０Ａ，９０Ｂ）の径方向（ＲＡ）外側に、壁状構造（１１２Ａ）が形成されたことを特徴とする回転電機（１）。
【請求項２】
回転可能に支持され、且つ、円周方向に配置された複数のマグネット（６２）を有するロータ（６０）と、
このロータ（６０）との間に所定距離の隙間を介して配置され、かつアルミニウム導線で形成された巻線部（５０）と、コア（２０）に設けられ、前記巻線部（５０）が巻回されたボビン（３０）を有するステータ（１０）とを備えた回転電機（１）において、
前記巻線部（５０）の端部（ＴＢ，ＴＧ）と外部への電力伝達用電線（５）との電気的接続部（９０Ａ，９０Ｂ）はオイル中もしくはオイルを含んだ雰囲気中に配置され、前記ボビン（３０）は前記電気的接続部（９０Ａ，９０Ｂ）の近傍に前記巻線部（５０）の端部（ＴＢ，ＴＧ）のガイド溝（１１２Ｃ）を設け、前記のガイド溝（１１２Ｃ）の終端方向が前記電気的接続部（９０Ａ，９０Ｂ）となるように形成されたことを特徴とする回転電機（１）。
【請求項３】
回転可能に支持され、且つ、円周方向に配置された複数のマグネット（６２）を有するロータ（６０）と、
このロータ（６０）との間に所定距離の隙間を介して配置され、かつアルミニウム導線で形成された巻線部（５０）と、コア（２０）に設けられ、前記巻線部（５０）が巻回されたボビン（３０）を有するステータ（１０）とを備えた回転電機（１）において、
前記巻線部（５０）の端部（ＴＢ，ＴＧ）と外部への電力伝達用電線（５）との電気的接続部（９０Ａ，９０Ｂ）はオイル中もしくはオイルを含んだ雰囲気中に配置され、前記ボビン（３０）は前記電気的接続部（９０Ａ，９０Ｂ）の周囲に、この接続部を囲むプール状構造（１１２Ｂ）が形成されたことを特徴とする回転電機（１）。
【請求項４】
回転可能に支持され、且つ、円周方向に配置された複数のマグネット（６２）を有するロータ（６０）と、
このロータ（６０）との間に所定距離の隙間を介して配置され、かつアルミニウム導線で形成された巻線部（５０）と、コア（２０）に設けられ、前記巻線部（５０）が巻回されたボビン（３０）を有するステータ（１０）とを備えた回転電機（１）において、
前記巻線部（５０）の端部（ＴＢ，ＴＧ）と外部への電力伝達用電線（５）との電気的接続部（９０Ａ，９０Ｂ）はオイル中もしくはオイルを含んだ雰囲気中に配置され、前記ボビン（３０）は前記電気的接続部（９０Ａ，９０Ｂ）の径方向（ＲＡ）外側に、壁状構造（１１２Ａ）が形成されると共に、前記電気的接続部（９０Ａ，９０Ｂ）の近傍に前記巻線部（５０）の端部（ＴＢ，ＴＧ）のガイド溝（１１２Ｃ）を設け、前記のガイド溝（１１２Ｃ）の終端方向が前記電気的接続部（９０Ａ，９０Ｂ）となるように形成されたことを特徴とする回転電機（１）。
【請求項５】
回転可能に支持され、且つ、円周方向に配置された複数のマグネット（６２）を有するロータ（６０）と、
このロータ（６０）との間に所定距離の隙間を介して配置され、かつアルミニウム導線で形成された巻線部（５０）と、コア（２０）に設けられ、前記巻線部（５０）が巻回されたボビン（３０）を有するステータ（１０）とを備えた回転電機（１）において、
前記巻線部（５０）の端部（ＴＢ，ＴＧ）と外部への電力伝達用電線（５）との電気的接続部（９０Ａ，９０Ｂ）はオイル中もしくはオイルを含んだ雰囲気中に配置され、前記ボビン（３０）は前記電気的接続部（９０Ａ，９０Ｂ）の径方向（ＲＡ）外側に、壁状構造（１１２Ａ）が形成されると共に、前記電気的接続部（９０Ａ，９０Ｂ）の周囲に、この接続部を囲むプール状構造（１１２Ｂ）が形成されたことを特徴とする回転電機（１）。
【請求項６】
前記巻線部（５０）の端部（ＴＢ，ＴＧ）と前記外部への電力伝達用電線（５）とは中間接続部材（１０２，１０４）によって電気的に接続されて前記電気的接続部（９０Ａ，９０Ｂ）を形成し、
前記中間接続部材（１０２，１０４）は、電気的な導電性を有する鉄系または銅系の部材で形成されていることを特徴とする請求項１〜５の何れか一項に記載の回転電機（１）。
【請求項７】
前記オイルはエンジン潤滑用オイルであることを特徴とする請求項１〜６の何れか一項に記載の回転電機（１）。
【国際調査報告】
2016194840.tif 000014
2016194840.tif 000015